(57)【特許請求の範囲】
【請求項１】
撮像装置の画像データを、該撮像装置と無線で接続された通信装置を介して、送信先に送信する画像データ送信方法であって、
前記撮像装置は、前記通信装置に、前記画像データのファイル名、及び、前記送信先のメールアドレスを送信し、
前記通信装置は、前記撮像装置に、前記ファイル名の画像データを要求し、
前記撮像装置は、前記通信装置から要求されたファイル名の画像データを前記通信装置に送信し、
前記通信装置は、前記撮像装置から受信した画像データを、前記送信先にメールで送信することを特徴とする画像データ送信方法。
【請求項２】
前記撮像装置から前記通信装置への画像データの送信を、画像データのファイルのサイズに応じて、分割して行うことを特徴とする請求項１記載の画像データ送信方法。
【請求項３】
撮像装置と無線で接続された通信装置が、画像データを前記撮像装置から受信して、送信先に送信する画像データ送信方法であって、
前記通信装置は、前記画像データのファイル名、及び、前記送信先のメールアドレスを、前記撮像装置から受信し、
前記通信装置は、前記撮像装置に、前記ファイル名の画像データを要求し、
前記通信装置は、前記要求したファイル名の画像データを前記撮像装置から受信し、
前記通信装置は、前記撮像装置から受信した画像データを、前記送信先にメールで送信することを特徴とする画像データ送信方法。
【請求項４】
前記通信装置は、画像データのファイルのサイズに応じて分割された画像データを前記撮像装置から受信することを特徴とする請求項３記載の画像データ送信方法。
【請求項５】
撮像装置と無線で接続された通信装置であって、
前記撮像装置からデータを受信する受信手段と、
前記撮像装置に画像データを要求する要求手段と、
前記撮像装置から受信した画像データを、送信先に送信する送信手段とを有し、
前記受信手段は、撮像装置の画像データのファイル名、及び、前記送信先のメールアドレスを、前記撮像装置から受信し、
前記要求手段は、前記撮像装置に、前記ファイル名の画像データを要求し、
前記受信手段は、前記要求したファイル名の画像データを前記撮像装置から受信し、
前記送信手段は、前記撮像装置から受信した画像データを、前記送信先にメールで送信することを特徴とする通信装置。
【請求項６】
前記受信手段は、画像データのファイルのサイズに応じて分割された画像データを前記撮像装置から受信することを特徴とする請求項５記載の通信装置。
【請求項７】
撮像装置と無線で接続された通信装置が、画像データを前記撮像装置から受信して、送信先に送信する画像データ送信プログラムであって、
前記通信装置は、前記画像データのファイル名、及び、前記送信先のメールアドレスを、前記撮像装置から受信し、
前記通信装置は、前記撮像装置に、前記ファイル名の画像データを要求し、
前記通信装置は、前記要求したファイル名の画像データを前記撮像装置から受信し、
前記通信装置は、前記撮像装置から受信した画像データを、前記送信先にメールで送信することを特徴とする画像データ送信プログラム。
【請求項８】
前記通信装置は、画像データのファイルのサイズに応じて分割された画像データを前記撮像装置から受信することを特徴とする請求項７記載の画像データ送信プログラム。
【請求項９】
請求項７または８記載のプログラムを格納したことを特徴とする記憶媒体。
【発明の詳細な説明】
【０００１】
【発明の属する技術分野】
本発明は、画像データ送信方法、通信装置、画像データ送信プログラムおよび記憶媒体に関する。
【０００２】
【従来の技術】
デジタルカメラで撮影した画像を所望の相手に送信する場合、デジタルカメラで撮影した画像を、パーソナルコンピュータなどに、一旦転送し、この転送された画像データを、パーソナルコンピュータの画像伝送機能によって、希望のアドレスヘ送信する。
【０００３】
【発明が解決しようとする課題】
しかし、上記のような形態で通信を行う場合には、デジタルカメラの即時性を活かした通信を実行することが困難である。
【０００４】
本発明の目的は、携帯性を損なうことなく、撮像された画像データを所望の送信先に即座に送信することができる画像データ送信方法、通信装置、画像データ送信プログラムおよび記憶媒体を提供することにある。
【０００５】
【課題を解決するための手段】
請求項１記載の発明は、撮像装置の画像データを、該撮像装置と無線で接続された通信装置を介して、送信先に送信する画像データ送信方法であって、前記撮像装置は、前記通信装置に、前記画像データのファイル名、及び、前記送信先のメールアドレスを送信し、前記通信装置は、前記撮像装置に、前記ファイル名の画像データを要求し、前記撮像装置は、前記通信装置から要求されたファイル名の画像データを前記通信装置に送信し、前記通信装置は、前記撮像装置から受信した画像データを、前記送信先にメールで送信することを特徴とする。
【０００６】
請求項２記載の発明は、請求項１記載の画像データ送信方法において、前記撮像装置から前記通信装置への画像データの送信を、画像データのファイルのサイズに応じて、分割して行うことを特徴とする。
【０００７】
請求項３記載の発明は、撮像装置と無線で接続された通信装置が、画像データを前記撮像装置から受信して、送信先に送信する画像データ送信方法であって、前記通信装置は、前記画像データのファイル名、及び、前記送信先のメールアドレスを、前記撮像装置から受信し、前記通信装置は、前記撮像装置に、前記ファイル名の画像データを要求し、前記通信装置は、前記要求したファイル名の画像データを前記撮像装置から受信し、前記通信装置は、前記撮像装置から受信した画像データを、前記送信先にメールで送信することを特徴とする。
【０００８】
請求項４記載の発明は、請求項３記載の画像データ送信方法において、前記通信装置は、画像データのファイルのサイズに応じて分割された画像データを前記撮像装置から受信することを特徴とする。
【０００９】
請求項５記載の発明は、撮像装置と無線で接続された通信装置であって、前記撮像装置からデータを受信する受信手段と、前記撮像装置に画像データを要求する要求手段と、前記撮像装置から受信した画像データを、送信先に送信する送信手段とを有し、前記受信手段は、撮像装置の画像データのファイル名、及び、前記送信先のメールアドレスを、前記撮像装置から受信し、前記要求手段は、前記撮像装置に、前記ファイル名の画像データを要求し、前記受信手段は、前記要求したファイル名の画像データを前記撮像装置から受信し、前記送信手段は、前記撮像装置から受信した画像データを、前記送信先にメールで送信することを特徴とする。
【００１０】
請求項６記載の発明は、請求項５記載の通信装置において、前記受信手段は、画像データのファイルのサイズに応じて分割された画像データを前記撮像装置から受信することを特徴とする。
【００１１】
請求項７記載の発明は、撮像装置と無線で接続された通信装置が、画像データを前記撮像装置から受信して、送信先に送信する画像データ送信プログラムであって、前記通信装置は、前記画像データのファイル名、及び、前記送信先のメールアドレスを、前記撮像装置から受信し、前記通信装置は、前記撮像装置に、前記ファイル名の画像データを要求し、前記通信装置は、前記要求したファイル名の画像データを前記撮像装置から受信し、前記通信装置は、前記撮像装置から受信した画像データを、前記送信先にメールで送信することを特徴とする。
【００１２】
請求項８記載の発明は、請求項７記載の画像データ送信プログラムにおいて、前記通信装置は、画像データのファイルのサイズに応じて分割された画像データを前記撮像装置から受信することを特徴とする。
【００１３】
請求項９記載の発明は、請求項７または８記載のプログラムを格納したことを特徴とする。
【００１４】
【発明の実施の形態】
以下、本発明の実施の形態について図面を参照しながら説明する。
【００１５】
図１は本発明の実施の一形態に係る画像通信システムにおける撮像装置の構成を示すブロック図、図２は本発明の実施の一形態に係る画像通信システムにおける通信装置の構成を示すブロック図、図３は図１の撮像装置と図２の通信装置により構成される画像通信システムの外観構成を模式的に示す図、図４は図１の撮像装置と図２の通信装置により構成される画像通信システムの全体構成を模式的に示す図である。
【００１６】
画像通信システムは、図４に示すように、撮像装置１００と通信装置３００とから構成され、撮像装置１００と通信装置３００とは、無線回線により接続される。通信装置３００は通信網４００に接続され、撮像装置１００で撮像された画像を、通信網４００を介して受信端末５００に送信することが可能である。
【００１７】
具体的には、図３に示すように、撮像装置１００はアンテナ１１２を介して、通信装置３００はアンテナ３３２を介して、無線通信により相互にコマンド、撮影画像を含むデータを送受する。ここで、撮像装置１００と通信装置３００間の無線通信は、例えばBluetoothなどのスペクトラム拡散方式により行われる。このBluetoothは、２．４GHzの周波数帯域を使用し、小電力で近距離通信に適した無線通信方式であり、５００Kbps〜１Mbpsの高速な伝送速度が得られる。なお、この無線通信方式に代えて、例えばIrDAなどの赤外線通信方式も用いることもできる。
【００１８】
撮像装置１００は、撮影レンズ１０を通して撮像した画像データを記録媒体１２０に記憶し、またアンテナ１１２を介して送信する。通信装置３００は、アンテナ３３２を介して画像データを受信し、受信した画像データを、アンテナ３２８を介して通信網４００に収容されている通信装置または通信基地局に送信する。
【００１９】
次に、撮像装置１００の詳細構成について図１を参照しながら説明する。
【００２０】
撮影レンズ１０は、被写体の光学像を取り込むための光学レンズ群からなる。撮像素子１４は、撮影レンズ１０を介して取り込んだ光学像を電気信号に変換し、Ａ／Ｄ変換器１６は、撮像素子１４から出力されたアナログ信号をデジタル信号に変換して画像データとして出力する。
【００２１】
画像処理回路２０は、Ａ／Ｄ変換器１６からの画像データまたはメモリ制御回路２２からの画像データに対して所定の画素補間処理や色変換処理を行う。また、画像処理回路２０においては、撮像した画像データを用いて所定の演算処理を行う。
【００２２】
メモリ制御回路２２は、Ａ／Ｄ変換器１６、画像処理回路２０、画像表示メモリ２４、Ｄ／Ａ変換器２６、メモリ３０、圧縮・伸長回路３２を制御する。Ａ／Ｄ変換器１６からの画像データは、画像処理回路２０、メモリ制御回路２２を介して、またはＡ／Ｄ変換器１６の画像データは直接メモリ制御回路２２を介して、画像表示メモリ２４またはメモリ３０に書き込まれる。画像表示器２８は、TFT LCD（TFT方式の液晶表示パネル）などから構成される。画像表示メモリ２４に書き込まれた表示用の画像データは、Ｄ／Ａ変換器２６によりアナログビデオ信号に変換された後に、画像表示器２８に入力されて表示される。ここで、撮像した画像データを、画像表示器２８を用いて逐次表示するようにすれば、電子ファインダ機能を実現することが可能である。
【００２３】
メモリ３０は、撮影した静止画像や動画像を格納するための揮発性メモリおよび／または不揮発性メモリからなるメモリであり、所定枚数の静止画像や所定時間の動画像を格納するのに十分な記憶量を有する。また、メモリ３０は、システム制御回路５０の作業領域としても使用される。
【００２４】
圧縮・伸長回路３２は、適応離散コサイン変換（ＡＤＣＴ）などにより画像データを圧縮・伸長する回路であり、メモリ３０に格納された画像を読み込んで圧縮処理または伸長処理を行い、処理を終えたデータをメモリ３０に書き込む。
【００２５】
システム制御回路５０は、撮像装置１００全体を制御する。メモリ５２は、システム制御回路５０の動作用の定数、変数、プログラム等を記憶する。表示器５４は、システム制御回路５０でのプログラムの実行に応じて、文字、画像、音声等を用いて動作状態やメッセージなどを表示する液晶表示装置、スピーカなどであり、撮像装置１００の操作部近辺の視認し易い位置に単数または複数設置され、例えばＬＣＤやＬＥＤ、発音素子などの組み合わせにより構成されている。
【００２６】
不揮発性メモリ５６は、電気的に消去・記録可能なメモリであり、例えばＥＥＰＲＯＭなどが用いられる。識別情報５８には、通信回路１１０、アンテナ１１２を介して通信装置３００と通信を行う際に通信に先立って認証を行うための各種識別情報が格納されている。シャッタスイッチ６４、操作部７０は、システム制御回路５０の各種の動作指示を入力するための操作手段であり、スイッチやダイアル、タッチパネル、視線検知によるポインティング、音声認識装置などの単数または複数の組み合わせで構成される。
【００２７】
シャッタスイッチ６４は、図３に示すシャッタボタン６２の操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体１２０に画像データを書き込む記録処理という一連の処理の動作開始を指示する。
【００２８】
操作部７０は、各種ボタンやタッチパネルなどから構成され、メニューボタン、セットボタン、マクロボタン、メニュー移動＋（プラス）ボタン、メニュー移動−（マイナス）ボタン、再生画像移動＋（プラス）ボタン、再生画像移動−（マイナス）ボタン、再生モード／マイナス画面再生・消去モード／ＰＣ接続モード等の各機能モードを設定することができる再生スイッチなどがある。
【００２９】
光学ファインダ１０４は、画像表示部２８による電子ファインダ機能を使用することなく、撮影を行うことを可能にするためのものである。
【００３０】
通信回路１１０は、Bluetoothなどのスペクトラム拡散通信方式による近距離高速データ通信機能を有する。
【００３１】
インタフェース１２８は、メモリカードやハードディスクなどの記録媒体１２０とのインタフェースを司り、コネクタ１２７は、記録媒体１２０との接続を行う。
【００３２】
なお、本実施の形態では記録媒体を取り付けるインタフェースおよびコネクタを１系統持つものとして説明しているが、記録媒体を取り付けるインタフェースおよびコネクタは、複数系統数を備える構成としてもよい。また、異なる規格のインタフェースおよびコネクタを組み合わせて備える構成としてもよい。インタフェースおよびコネクタとしては、PCMCIA（Personal Computer Memory Card International Association）カードやＣＦ（コンパクトフラッシュ（登録商標））カード、ＭＭＣ（マルチメディアカード）などの規格に準拠したものを用いて構成しても構わない。さらに、インタフェース１２８、そしてコネクタ１２７をPCMCIAカードやＣＦカードなどの規格に準拠したものを用いて構成した場合、ＬＡＮカードやモデムカード、USBカード、IEEE（Institute of Electrical and Electronic Engineers）１３９４カード、Ｐ１２８４カード、SCSI（Small Computer System Interface）カード、ＰＨＳなどの通信カード、等の各種通信カードを接続することにより、他のコンピュータやプリンタなどの周辺機器との間で画像データや画像データに付属した管理情報を転送し合うことができる。
【００３３】
記録媒体１２０は、半導体メモリや磁気ディスクなどから構成される記録部１２２、撮像装置１００とのインタフェース１２４、撮像装置１００と接続を行うコネクタ１２６、識別情報１２９を有する。
【００３４】
次に、通信装置３００の詳細構成について図２を参照しながら説明する。
【００３５】
通信装置３００は、携帯電話機である。
【００３６】
マイク３１０は、音声を電気信号に変換し、Ａ／Ｄ変換器３１２は、マイク３１０から出力されたアナログ出力信号をデジタル信号に変換し、このデジタル信号を音声データとして出力する。メモリ制御回路３１４は、Ａ／Ｄ変換器３１２の音声データのメモリ３２０への書き込み／読み出しを制御するとともに、メモリ３２０から読み出されたデータのＤ／Ａ変換器３１６への入力を制御する。Ｄ／Ａ変換器３１６は、音声データをアナログ信号に変換してスピーカ３１８に入力する。スピーカ３１８は、入力されたアナログ信号を音声信号に変換して出力する。
【００３７】
メモリ３２０は、マイク３１０で入力した音声及び或いは撮像装置１００から送信された静止画像や動画像を格納するものであり、所定時間の音声及び或いは所定枚数の静止画像、所定時間の動画像を格納するのに十分な記憶量を備えている。Ｄ／Ａ変換器３２２は、メモリ３２０に格納された静止画像データや動画像データをアナログ信号に変換して画像信号として画像表示器３２４に出力する。画像表示器３２４は、Ｄ／Ａ変換器３２２からの画像信号を表示する。
【００３８】
通信回路３２６は、TDMA（Time Division Multiple Access：時分割多重）、CDMA（Code Division Multiple Access：符号分割多重）、W-CDMA（Wide-band Code Division Multiple Access：広帯域符号分割多重）などの遠距離無線通信機能を有し、アンテナ３２８を介して通信装置３００を他の通信装置および／または通信基地局と回線接続する。
【００３９】
通信回路３３０は、Bluetoothのスペクトラム拡散通信の近距離高速データ通信機能を有し、アンテナ３３２を介して通信装置３００を他の機器と接続する。
【００４０】
通信システム制御回路３５０は、通信装置３００全体を制御する。メモリ３５２は、通信システム制御回路３５０の動作用の定数、変数、プログラム等を記憶する。不揮発性メモリ３５４は、電気的に消去可能なメモリであり、例えばＥＥＰＲＯＭなどが用いられる。
【００４１】
識別情報３５６には、通信回路３３０、アンテナ３３２を介して撮像装置１００と通信を行う際に通信に先立って認証を行うための各種識別情報が格納されている。表示器３６０は、通信システム制御回路３５０でのプログラムの実行に応じて、文字、画像、音声などを用いて動作状態やメッセージなどを表示する液晶表示装置、スピーカなどから構成され、通信装置３００の操作手段近辺の視認し易い位置に単数または複数設置され、例えばＬＣＤやＬＥＤ、発音素子などの組み合わせにより構成されている。
【００４２】
操作部３６２は、通信システム制御回路３５０の各種の動作指示を入力するためのものであり、スイッチやダイアル、タッチパネル、視線検知によるポインティング、音声認識装置などの単数または複数の組み合わせで構成される。操作手段３６２は、通信装置３００の電源オン／オフ、通話の実行（オフフック）／停止（オンフック）、電話番号入力、電話番号検索、通信モード切り替え、等の操作を行うことが可能である。着信通知部３６４は、他の通信装置や通信基地局から通話の着信があった場合に、呼出し音、発声音、音楽などの音声および／またはアイコン、動画、静止画、発光等の画像および／または振動などにより通信装置３００の使用者に着信を通知することができる。記録媒体着脱検知器３６６は、コネクタ３９２に記録媒体２００が装着されているか否かを検知する。
【００４３】
インタフェース３９０は、メモリカードやハードディスクなどの記録媒体２００とのインタフェースを司り、コネクタ３９２は、記録媒体２００との接続を行う。
【００４４】
なお、本実施の形態では、記録媒体２００を取り付けるインタフェースおよびコネクタを１系統持つものとして説明しているが、記録媒体を取り付けるインタフェースおよびコネクタは、単数または複数いずれの系統数を備える構成としてもよい。また、異なる規格のインタフェースおよびコネクタを組み合わせて備える構成としても構わない。インタフェースおよびコネクタとしては、PCMCIA（Personal Computer Memory Card International Association）カードやＣＦ（コンパクトフラッシュ（登録商標））カード、ＭＭＣ（マルチメディアカード）などの規格に準拠したものを用いてよい。さらに、インタフェース３９０、そしてコネクタ３９２をPCMCIAカードやＣＦカードなどの規格に準拠したものを用いて構成した場合、ＬＡＮカードやモデムカード、ＵＳＢカード、IEEE（Institute of Electrical and Electronic Engineers）１３９４カード、Ｐ１２８４カード、SCSI（Small Computer System Interface）カード、ＰＨＳなどの通信カード、等の各種通信カードを接続することにより、他のコンピュータやプリンタ等の周辺機器との間で画像データや画像データに付属した管理情報を転送し合うことができる。
【００４５】
記録媒体２００は、半導体メモリや磁気ディスクなどから構成される記録部２０２、通信装置３００とのインタフェース２０４、通信装置３００と接続を行うコネクタ２０６、および識別情報２０８を有する。
【００４６】
本実施の形態において、撮像装置１００は、画像データを通信装置３００へ転送する際に、画像データに該画像データの送信先相手に対する発呼情報を付加し、発呼情報が付加された画像データを通信装置３００へ無線回線を介して転送する機能を有する。また、通信装置３００は、撮像装置１００から転送された画像データに付加された発呼情報に基づき対応する送信先相手へ発呼し、発呼した送信先相手と接続されると、通信網４００を介して画像データを送信先相手へ送信する機能を有する。
【００４７】
ここで、撮像装置１００は、特定の送信先相手を示す送信先情報を不揮発性メモリ５６に保持し、特定の送信先相手へ画像データを送信する場合、不揮発性メモリ５６から特定の送信先情報を読み出して対応する発呼情報に変換し、この発呼情報を画像データに付加する。また、特定の送信先相手とは異なる相手へ画像データを送信する場合、特定の送信先相手とは異なる相手の送信先情報を入力し、この入力された送信先情報を対応する発呼情報に変換し、この発呼情報を画像データに付加する。
【００４８】
この送信先情報から発呼情報への変換について図５を参照しながら説明する。図５は図１の撮像装置における送信先情報から発呼情報への変換例を示す図である。ここでは、撮像装置１００の不揮発性メモリ５６に保持されている特定の送信先情報を読み出して発呼情報に変換する場合を例に説明する。
【００４９】
不揮発性メモリ５６には、例えば図５（ａ）に示すように、特定の送信先情報として、相手の電話番号が格納されている。ここで、特定の送信先相手へ画像データを送信する場合、不揮発性メモリ５６から特定の送信先情報例えば「03-3758-2101・41124」が読み出され、この送信先情報は、図５（ｂ）に示すように、発呼情報５０２（「P0337582101 120.130.25.1 120.129.25.0」）に変換される。
【００５０】
そして、この発呼情報が画像データ（100＿002.JPG）に付加される。また、特定の送信先情報例えば「011-025-2354・452」を発呼情報に変換する場合、図５（ｂ）に示すように、発呼情報５０３（「P0110252354P452」）に変換される。そして、この発呼情報が画像データ（100＿0032.JPG）に付加される。
【００５１】
また、本実施の形態においては、撮像装置１００から転送された画像データを通信装置３００により受信し、この受信した画像データを着脱可能な記録媒体２００に記録するモードが設けられている。
【００５２】
次に、上記発呼情報を付加して画像データを送信する画像送信モードについて図６ないし図１０を参照しながら説明する。図６ないし図８は図１の撮像装置における動作の手順を示すフローチャート、図９は図７のステップＳ５２２の通信処理の手順を示すフローチャートである。また、図１０は図２の通信装置における動作の手順を示すフローチャートである。
【００５３】
ここで、図６ないし図９に示す手順は、システム制御回路５０の制御に従い実行されるものであり、図１０に示す手順は、通信システム制御回路３５０に制御に従い実行されるものである。図６ないし図９は、メモリ５２に記憶されたプログラムの一部を示し、図１０は、メモリ３５２に格納されたプログラムの一部を示す。
【００５４】
システム制御回路５０は、図６ないし図９に示す手順を実行するコンピュータであり、メモリ５２は、このプログラムは、システム制御回路５０が読み出すことができるように記憶した記憶媒体である。また、このプログラムを記憶媒体１２０に記憶し、システム制御回路５０が、インタフェース１２８、コネクタ１２７を介して、このプログラムを記憶媒体１２０から読み出す形態では、記憶媒体１２０は、このプログラムをシステム制御回路５０が読み出すことができるように記憶した記憶媒体に相当する。また、このプログラムを、通信回路１１０を介して外部からシステム制御回路５０に供給するようにしてもよい。
【００５５】
通信システム制御回路３５０は、図１０に示す手順を実行するコンピュータであり、メモリ３５２は、このプログラムは、通信システム制御回路３５０が読み出すことができるように記憶した記憶媒体である。また、このプログラムを記憶媒体２００に記憶し、通信システム制御回路３５０が、インタフェース３９０、コネクタ３９２を介して、このプログラムを記憶媒体２００から読み出す形態では、記憶媒体２００は、このプログラムを通信システム制御回路３５０が読み出すことができるように記憶した記憶媒体に相当する。また、このプログラムを、通信回路３２６、３３０を介して外部から通信システム制御回路３５０に供給するようにしてもよい。
【００５６】
以下、システム制御回路５０の制御の元に、撮像装置１００が行う動作を説明する。
【００５７】
発呼情報を付加して画像データを送信する画像送信モードを実行する場合、図６に示すように、撮像装置１００においては、まずステップＳ５０１において、各ブロックの状態をチェックし、続くステップＳ５０２で、状態チェックの結果に基づき異常があるか否かを判定し、異常があれば、ステップＳ５０９に進み、異常の内容を表す表示を行い、そして、ステップＳ５１０に進む。
【００５８】
ステップＳ５１０では、通信装置３００と無線接続中であるか否かを判定し、通信装置３００と無線接続中であるときには、ステップＳ５１１に進み、通信装置３００との接続断を行うか否かを判定し、この接続断を行うときには、ステップＳ５１２に進み、切断コマンドを通信回路１１０から通信装置３００へ送信して、通信装置３００との無線接続を切断し、ステップＳ５１３に進む。これに対し、接続断を行わないときには、上記ステップＳ５１２をスキップしてステップＳ５１３に進む。接続を切断するか否かは、使用者が操作部７０を用いて選択する。
【００５９】
ステップＳ５１３では、画像送信モードを終了するか否かを判定し、終了しないときには、上記ステップＳ５０１に戻り、終了するときには、本処理を抜ける。画像送信モードを終了するか否かは、使用者が操作部７０を用いて選択する。これに対し、上記ステップＳ５１０において通信装置３００と無線接続中でないと判定されると、ステップＳ５１０に進む。
【００６０】
上記ステップＳ５０２において異常がないと判定されると、ステップＳ５０３に進み、モードが撮影モードであるか否かを判定する。この撮像モードは、撮像し、その直後にこの撮像により得られた画像データを送信するモードである。モードが撮影モードでなければ、ステップＳ５０４に進み、モードがメモリ画像モードであるか否かを判定する。このメモリ画像モードは、メモリ３０または記録媒体１２０に格納された画像データを送信するモードである。モードがメモリ画像モードでなければ、ステップＳ５０５に進み、モードが情報設定モードであるか否かを判定する。このモードの選択は、使用者が操作部７０を用いて行う。
【００６１】
モードが情報設定モードでなければ、上記ステップＳ５１０に進み、モードが情報設定モードであるときには、ステップＳ５０６に進み、特定の相手に対する情報を設定する。
【００６２】
具体的には、画像データの送信先として予め決められている特定の送信先相手を示す送信先情報、本実施の形態では電話番号を、操作部７０を用いて設定する。続いて、ステップＳ５０７に進み、各種パラメータ（カメラ情報）を設定する。この設定されたパラメータは、撮像時に画像データとともに記録される。そして、ステップＳ５０８において、設定された送信先情報および各種パラメータを不揮発性メモリ５６に記憶し、ステップＳ５１０に進む。このステップＳ５１０以降の処理は上述した通りである。
【００６３】
上記ステップＳ５０３において撮影モードであると判定されると、図７に示すステップＳ５１４に進み、シャッタスイッチ６４がオンすると、撮影動作を行い、続くステップＳ５１５で、撮像した画像データをメモリ３０に格納し、そしてステップＳ５１６において、特定の相手への送信であるか否かを判定する。特定の相手への送信であるときには、ステップＳ５１７に進み、特定の相手に対する情報すなわち不揮発性メモリ５６に記憶されている送信先情報を読み出して発呼情報に変換する。特定の相手への送信であるか否かは、使用者が操作部７０を用いて行う。この特定の相手に対する情報は、ステップＳ５０６で設定された情報である。本実施の形態では、使用者による特別な指示が無い限り、撮影後に、特定の相へに対する発呼情報を、撮影画像データに付加して、メモリ３０に記憶する。
【００６４】
なお、複数の送信先情報が記憶されている場合には、複数送信先情報の中から対応する送信先情報を選択するための画面を画像表示部２８に表示し、この操作部７０を用いて送信先情報の選択を行う。そして、ステップＳ５２０に進む。
【００６５】
これに対し、特定の相手への送信でないときには、ステップＳ５１８に進み、発呼先に対する情報（本実施の形態では電話番号）を、操作部７０を用いて入力し、続くステップＳ５１９で、入力された情報を発呼情報に変換する。そして、ステップＳ５２０に進む。
【００６６】
ステップＳ５２０では、発呼情報を画像データに付加してメモリ３０に格納する。続いて、ステップＳ５２１に進み、発呼情報を付加した画像データを送信するか否かを判定し、何らかの不具合、例えば、使用者が、相手先の誤入力などに気付いて画像データの送信を中止する操作を操作部７０で行ったとき、あるいは、後で、送信することを希望するときには、ステップＳ５２４に進み、メモリ３０に格納された画像データを保持するか否かを操作部７０から入力する。メモリ３０に格納された画像データを保持するときには、ステップＳ５１０に進む。このステップＳ５１０以降の処理は上述した通りである。保持した画像データは、操作部７０からメモリ画像モードを選択することにより、後で、送信することが可能である。
【００６７】
これに対し、画像データを保持しないときには、ステップＳ５２５においてメモリ３０に格納された画像データを消去し、ステップＳ５１０に進む。
【００６８】
上記ステップＳ５２１において画像データの送信を行うと判定されると、ステップＳ５２２に進み、通信処理を実行する。この通信処理では、図９に示すように、まずステップＳ８０１において、通信回路１１０を用いて、通信可能デバイスを検出するための処理を行い、続くステップＳ８０２で、通信可能なデバイスが検出されたか否かを判定する。ここで、通信可能なデバイスが検出されなかったときには、ステップＳ８０７に進み、「通信不可（デバイス無）」を画像表示器２８に表示し、そして本処理を抜ける。
【００６９】
上記ステップＳ８０２において通信装置３００が検出されると、ステップＳ８０３に進み、メモリ３０から画像データを読み出し、続くステップＳ８０４で通信処理手順を実行する。ここでは、通信回路１１０を介して、通信装置３００とネゴシエーションを行う。ステップＳ８０２では、検出したデバイスを表示器２に表示し、使用者は、表示されたデバイスの中から、通信装置３００を選択する。通信回路１１０は、この選択された通信装置３００とネゴシエーションを行う。
【００７０】
通信装置３００との間でコネクションが成立すると、通信回路１１０から発呼情報が付加された画像データを送信する。そして、ステップＳ８０５において、「通信中」を画像表示器２８に表示する。
【００７１】
次いで、ステップＳ８０６に進み、通信が終了したか否かを判定し、終了していなければ、上記ステップＳ８０３に戻り、画像データの転送を続行し、通信が終了すると、本処理を抜ける。
【００７２】
上記通信処理を抜けると、ステップＳ５２３（図７に示す）に進み、通信が正常に終了したか否かを判定し、通信が正常に終了したときには、ステップＳ５１０に進む。このステップＳ５１０以降の処理は上述した通りである。これに対し、通信が正常に終了しなかったときには、ステップＳ５０９に進み、異常表示を行い、そして、ステップＳ５１０に進む。
【００７３】
上記ステップＳ５０４（図６に示す）においてモードがメモリ画像モードであると判定されると、図８に示すステップＳ５２６に進み、メモリ３０内の画像データを送信するか否かを判定する。メモリ３０内の画像データを送信するか否かは、操作部７０から入力する。メモリ３０内の画像データを送信するときには、ステップＳ５２７に進み、メモリ３０から送信する画像データを操作部７０で選択する。
【００７４】
続くステップＳ５２８で、選択された画像データに付加されている発呼情報を変更するか否かを操作部７０から入力する。発呼情報を変更するときには、ステップＳ５２９に進み、発呼先に対する情報を操作部７０から入力し、続くステップＳ５３０で、図５を用いて説明したように、入力された情報を発呼情報に変換する。次いで、ステップＳ５３１において、発呼情報を画像データに付加してメモリ３０に格納し、図７に示すステップＳ５２１に進む。これ以降の処理は上述した通りである。発呼情報を変更しないときには、上記ステップＳ５２９〜５３１をスキップしてステップＳ５２１に進む。
【００７５】
上記ステップＳ５２６においてメモリ３０内の画像データを送信しないときには、記録媒体１２０内の画像データを送信すると判断してステップＳ５３２に進む。そして、記録媒体１２０から送信する画像データを操作部７０から選択し、続くステップＳ５３３で、選択された画像データをメモリ３０に格納する。
【００７６】
そして、ステップＳ５３４において、選択された画像データの送信先相手が特定の相手であるか否かを操作部７０から指定する。送信先相手が特定の相手であるときには、ステップＳ５３５に進み、特定の相手に対する情報すなわち不揮発性メモリ５６に記憶されている送信先情報を読み出して発呼情報に変換する。そして、ステップＳ５３１に進み、発呼情報を画像データに付加してメモリ３０に格納し、図７に示すステップＳ５２１に進む。
【００７７】
これに対し、特定の相手への送信でないときには、ステップＳ５２９に進み、発呼先に対する情報を操作部７０から入力し、続くステップＳ５３０で、入力された情報を発呼情報に変換する。そして、ステップＳ５３１に進み、発呼情報を画像データに付加してメモリ３０に格納し、図７に示すステップＳ５２１に進む。
【００７８】
ここで、上記記録媒体１２０に記録されている画像データには、発呼情報が付加されていないものとしているが、発呼情報が付加されている画像データが記録媒体１２０に記録されている場合には、上記ステップＳ５２８からの処理と同様に、発呼情報の変更の有無に応じて処理する。
【００７９】
次に、通信システム制御回路３５０の制御の元に、通信装置３００が行う動作を説明する。
【００８０】
通信装置３００においては、図１０に示すように、まずステップＳ９０１において、撮像装置１００からの接続要求を通信回路３３０で受信したか否かを判定し、この接続要求の受信がないときには、ステップＳ９１３に進み、その他の処理を実行し、そして、上記ステップＳ９０１に戻る。
【００８１】
撮像装置１００からの接続要求を受信すると、ステップＳ９０２に進み、通信回路３３０を介して撮像装置１００と無線接続するための接続処理を行い、続くステップＳ９０３で、コネクションが成立したか否かを判定し、コネクションが成立しないときには、上記ステップＳ９０１に戻る。
【００８２】
コネクションが成立すると、撮像装置１００との無線通信可能な状態になり、ステップＳ９０４において、通信回路３３０を介して、撮像装置１００から送信された画像データおよびそれに付加された発呼情報を受信する。そして、ステップＳ９０５で、撮像装置１００との通信の終了を待ち、通信が終了すると、ステップＳ９０６に進む。
【００８３】
ステップＳ９０６では、発呼情報を受信したか否かを判定し、発呼情報を受信していないときには、ステップＳ９１３に進み、対応する処理例えば撮像装置１００へ再送信要求を出すなどの処理を行う。再送要求を受信した場合、撮像装置１００は、発呼情報を通信装置３００に送信する。
【００８４】
これに対し、発呼情報を受信しているときには、ステップＳ９０７に進み、通信回路３２６から通信網４００へ発信可能であるか否かを判定する。発信可能でないとき（例えば圏外にあるとき）には、上記ステップＳ９０１に戻り、発信可能であるときには、ステップＳ９０８に進む。
【００８５】
ステップＳ９０８では、受信した発呼情報に基づき、通信回路３２６を介して対応する送信先相手へ発呼し、続くステップＳ９０９で、送信先相手（図４示の受信端末５００）とコネクションが成立したか否かを判定する。コネクションが成立しないときには、上記ステップＳ９０１に戻る。
【００８６】
コネクションが成立すると、ステップＳ９１０に進み、撮像装置１００から受信した画像データを、通信回路３２６を介して送信先へ送信する。続くステップＳ９１１で、通信の終了を待ち、通信が終了すると、ステップＳ９１２に進み、送信先相手との接続を切断し、上記ステップＳ９０１に戻る。
【００８７】
図１０において、通信装置３００における撮像装置１００との接続断の認識タイミングは、明示していないが、撮像装置１００からの接続断コマンドを通信回路３３０で受信すると、その接続断コマンドを、ステップＳ９１３のその他の処理で認識して、撮像装置１００との接続を切断する。
【００８８】
以上、本実施の形態においては、撮像装置１００側から無線回線を介して通信装置３００の発呼を制御し、撮像装置１００の操作のみで撮像した画像データの送信を行う場合を示している。
【００８９】
次に、通信装置３００の搭載メモリや処理の都合上等から、転送される画像データを公衆回線に即時送信するか、通信装置３００に一旦蓄積させ、通信装置３００の操作により送信指示情報を与えるか、取得した画像データの情報を用いて通信装置３００のメモリの空き状況等の状態に応じて撮像装置１００から画像データを取得する機能を付加する場合を説明する。
【００９０】
上述の機能を付加した場合、撮像装置１００から画像データの公衆回線への転送タイミングを選択できるようになり、携帯性が損なわれることなく、使い勝手を向上させることができる。
【００９１】
以下に上述の場合の撮像装置１００、通信装置３００間の一連の通信シーケンスを図１１に示し、順次説明する。
【００９２】
ここでは、図８のステップＳ２６がＮＯの場合に対応する動作を例に説明する。この場合、最初に、“回線接続情報入力”１５２９、および、“転送画像選択操作”１５３２を行う。
【００９３】
ここで、“回線接続情報”とは、宛先のニックネーム、インターネットサービスプロバイダーのアクセスポイント等の電話番号、メールアドレス等を示し、“回線接続情報入力”１５３２では、撮像装置１００で、操作部７０からこれらの設定を行う。ここでの情報は、例えば電話帳のように接続情報をニックネームにより管理するようなデータベースを用い、登録データを選択させることも可能である。
【００９４】
“転送画像選択操作”１５３２では、FTP転送か、メールによる転送か、転送されたデータを通信装置３００において回線上へ即時転送させるか、通信装置３００に接続情報及び指定された画像ファイル等データを蓄積保存させるか等を操作部７０から指定する。
【００９５】
これらの指定を、表示部２８および操作部７０を用いた“画像確認操作”１５２１にて確認する。
【００９６】
撮像装置１００においてメールによる転送が設定された場合、図に示す様な一連の手順により通信装置３００との間で下位プロトコルによる接続１８４１が行われ、次に上位プロトコルによるサービスの確認動作１８４２が行われる。撮像装置１００より送信先メールアドレス、転送画像情報などを含む回線接続情報１８４３が転送される。
【００９７】
この回線接続情報を受信した通信装置３００は、まず回線接続情報１９４１を保存した後に、回線接続情報から、撮像装置１００で選択指定された画像ファイル名１９４２を抽出し、この選択された画像ファイルのデータ取得要求１８４４、１８４６を順次撮像装置１００に送信する。
【００９８】
このデータ取得要求１８４４，１８４６を受けた撮像装置１００は、指定された画像データファイル１８４５，１８４７を、取得要求に従って分割（もしくは一括）して通信装置３００に対して転送する。この動作は、通信装置３００のバッファがフルになるか、もしくは指定された全ての画像データファイルが転送されるまで繰り返される。
【００９９】
本通信シーケンスでは、１画像データを連続して２回に分けて転送させる場合の例を示しているが、画像データファイルのファイルサイズが大きい場合は、更に複数回に分割されて転送される。また、指定された画像データファイルがローカル通信で一度に転送できるサイズの範囲に入っている場合、一度の画像転送要求で１画像データファイルが転送される。
【０１００】
更に、画像データファイルの転送は通信装置３００からの指示により行われることから、通信装置３００の状態によって連続して要求することも、一旦転送を中断することも可能である。
【０１０１】
この画像データの転送終了後は、通信状態表示画面操作による切断指示１５１１が出されるまで、通信路の接続は確保された状態となる。
【０１０２】
ここで、図１１では、動作を容易にするために画像データ転送前の指定された画像ファイルに関するサイズ等の情報取得手順及びテキストファイルをはじめとする関連データの転送手順は省いている。しかしながら、他の場合、例えば通信装置３００のメモリ容量があまり無い場合や複数の画像データを撮像装置１００が指定してきた場合、ネゴシエーション手順１８４２において、通信装置３００のメモリの空き状況に応じたデータ転送制御を行うために必要となる画像データサイズ情報の取得が行われる。
【０１０３】
上記説明では、画像ファイルの取得動作を記載したが、回線接続情報に、テキストデータファイル名や、画像データファイルに関連した音声ファイル等情報が記載されている場合は、前記画像データファイルの取得手順と同様の取得手順によりデータの取得要求を送出しデータ転送が行われる。
【０１０４】
また、回線接続情報に画像データファイルに関連したデータファイルの情報が記載されていない場合においても、画像サイズ等の情報に関連したデータファイルの情報が記載されている場合は、この情報から関連データを取得させることも可能である。
【０１０５】
また、他の場合では、通信装置３００のメモリフル状態の処理において、撮像装置１００と通信装置３００間の通信接続を維持したまま、回線接続により画像伝送を行い、メモリが空いた時点で指定された画像データを撮像装置１００から取得する。
【０１０６】
また、接続情報及び、転送画像情報は各々ファイルとして保存されるが、この情報ファイルをDPOF（Digital Print Order Format）などで生成されるファイルと共用することも可能である。
【０１０７】
また、上述した、画像データファイルの指定情報やテキストファイル・音声ファイル等のファイル指定情報、メールアドレス、FTPの接続情報、即時送信指示等の転送設定情報を含む回線接続情報を、DPOFファイルと共用することも可能であり、DPOFファイルと共用した場合、実施形態に記載の手順においては撮像装置１００から転送される回線接続情報が、このDPOFファイルとなる。
【０１０８】
次に、図１１のシーケンスチャートを元に、撮像装置１００と通信装置３００の間の無線通信シーケンスの他の例を説明する。ここでは、図６のステップＳ５０３の撮影モードの場合を説明する。この場合、回線接続情報入力１５２９では、図７のステップＳ５２０で、画像情報に付加して、発呼情報がメモリ３０に格納される。転送画像選択操作１５３２では、撮影された最新の画像が選択される。
【０１０９】
図７のステップＳ５２２の通信処理において、通信装置１００は、通信回路１１０を用いて、デバイス検索手順１８０１を行い、検索されたデバイスの一覧１８２１を表示器２８に表示する。この検索されたデバイスの中から、使用者が操作部７０を用いて、通信装置３００の選択１８２２を行うと、通信回路１１０は、接続手順１８４１、ネゴシエーション手順１８４２を行う。その結果、通信装置３００とのコネクションが成立すると、通信回路１１０は、回線接続情報１８４３を通信装置３００に送信する。撮像装置１００は、ステップＳ５２０又はＳ５３０でメモリ３０に格納された発呼情報、及び、送信画像データを指定する画像ファイル情報（ファイル名、又は、送信画像データが格納されたメモリ３０のアドレス）を、この回線接続情報に含める。
【０１１０】
通信装置３００は、この回線接続情報１８４３を通信回路３００で受信すると、この回線接続情報１８４３をメモリ３２０に保存する保存処理１９４１を行い、回線接続情報１８４３から画像ファイル情報１９４２を抽出して、画像ファイル情報を含む画像データ要求１８４４を通信回路３３０から撮像装置１００に送信する。一方、撮像装置１００は、画像データ要求１８４４を通信回路１１０で受信すると、画像データ要求１８４４に含まれる画像ファイル情報により特定される画像データ１８４５を通信回路１１０から通信装置３００へ送信する。
【０１１１】
そして、通信装置３００は、撮像装置１００から画像データ１８４５が通信回路３３０で受信されると、受信された画像データ１８４５のメモリ３２０への一時保存１９４３を行う。ここで、画像データは、複数のパケットに分割して伝送されるので、画像データの送信が終了するまで、画像データ要求１８４６の送信と画像データ１８４７の受信を繰り返す。
【０１１２】
画像データ１８４７の受信が終了すると、通信回路３２６から通信網４００への発信が可能である場合、撮像装置１００から受信した回線接続情報に基づいて、通信回路３２６から通信網４００へ発呼する。そして、受信端末５００とのコネクションが成立すると、通信装置３００は、メーラーの起動１９０８を行い、メモリ３２０に記憶した画像データをメールで転送する。通信装置３００は、送信結果１８４８を通信回路３３０から撮像装置１００に送信する。
【０１１３】
撮像装置１００は、その送信結果１８４８を受信して、表示器２８に表示し、通信装置３００との接続の切断１５１１が操作部７０から指示されると、通信装置３００との接続手順１８０６を行う。
【０１１４】
なお、上記場合において、撮像装置１００は、回線接続情報１８４３を送信後、通信装置３００との接続を切断し、その後、通信装置３００が撮像装置１００との接続手順を行って、コネクションの確立後、通信装置３００が画像データ要求を撮像装置１００に行って、画像データを受信し、受信終了後、受信端末５００への送信を行う。
【０１１５】
このように、本実施の形態では、撮像装置１００において、画像データを通信装置３００へ転送する際に、画像データに該画像データの送信先相手に対する発呼情報を付加し、発呼情報が付加された画像データを通信装置３００へ無線回線を介して転送する。通信装置３００において、撮像装置１００から転送された画像データに付加された発呼情報に基づき対応する送信先相手へ発呼し、発呼した送信先相手と接続されると、通信網４００を介して画像データを送信先相手へ送信する。
【０１１６】
これにより、撮像された画像データを所望の送信先に即座に送信することができる。また、撮像装置１００側から無線回線を介して通信装置３００の発呼を制御するので、撮像装置１００の操作のみで撮像した画像データの送信を行うことができ、携帯性が損なわれることはない。
【０１１７】
以上、本発明を好ましい実施の形態に基づいて説明したが、本発明は、上記実施の形態に限定されるものではなく、特許請求の範囲内で、種々の変形が可能である。
【０１１８】
特定の送信先相手を示す送信先情報が不揮発性メモリ５６に保持されているので、特定の送信先相手へ画像データを送信する場合の操作を簡単化することができる。さらに、特定の送信先相手とは異なる相手へ画像データを送信する場合、特定の送信先相手とは異なる相手の送信先情報を入力し、この入力された送信先情報を対応する発呼情報に変換し、この発呼情報を画像データに付加するように構成されているので、特定の相手以外の相手への画像データの送信を容易に行うことができ、使い勝手を向上させることができる。
【０１１９】
なお、上述の処理の一部または全部を、コンピュータ上で稼働しているＯＳ（オペレーティングシステム）に実行させるようにしてもよい。
【０１２０】
また、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能を実現するようにしてもよい。
【０１２１】
【発明の効果】
以上説明したように、本発明によれば、携帯性を損なうことなく、撮像された画像データを、通信装置を介して所望の送信先に即座に送信することができる。
【図面の簡単な説明】
【図１】  本発明の実施の一形態に係る画像通信システムにおける撮像装置の構成を示すブロック図である。
【図２】  本発明の実施の一形態に係る画像通信システムにおける通信装置の構成を示すブロック図である。
【図３】  図１の撮像装置と図２の通信装置により構成される画像通信システムの外観構成を模式的に示す図である。
【図４】  図１の撮像装置と図２の通信装置により構成される画像通信システムの全体構成を模式的に示す図である。
【図５】  図１の撮像装置における送信先情報から発呼情報への変換例を示す図である。
【図６】  図１の撮像装置における動作の手順を示すフローチャートである。
【図７】  図１の撮像装置における動作の手順を示すフローチャートである。
【図８】  図１の撮像装置における動作の手順を示すフローチャートである。
【図９】  図７のステップＳ５２２の通信処理の手順を示すフローチャートである。
【図１０】  図２の通信装置における動作の手順を示すフローチャートである。
【図１１】  図１の撮像装置と図２の通信装置の間の無線通信シーケンスの他の例を示すシーケンスチャートである。
【符号の説明】
２８，３２４  画像表示器
３０  メモリ
５０  システム制御回路
５６，３５４  不揮発性メモリ
７０  操作部
１００  撮像装置
１１０，３２６，３３０  通信手段
１１２，３３２，３２８  アンテナ
１２０，２００  記録媒体
３００  通信装置
３２６  通信手段
３５０  通信システム制御回路
４００  通信網
５００  受信端末
【図１】
0003706824.tif 000002
【図２】
0003706824.tif 000003
【図３】
0003706824.tif 000004
【図４】
0003706824.tif 000005
【図５】
0003706824.tif 000006
【図６】
0003706824.tif 000007
【図７】
0003706824.tif 000008
【図８】
0003706824.tif 000009
【図９】
0003706824.tif 000010
【図１０】
0003706824.tif 000011
【図１１】
0003706824.tif 000012